(57)【要約】【課題】簡易な構成で、コーヒー抽出に適した高温の湯を、常にコーヒー粉に供給できるコーヒー沸かし器を提供する。【解決手段】水容器２からの水を加熱する加熱手段３と、加熱手段３によって得られた湯を本体１の上部へ導く昇水手段１１と、コーヒー液を抽出するコーヒー抽出室６へ給湯する給湯手段１４とを備え、昇水手段１１の開口部１２と給湯手段１４とを隙間１３ｃを介して連通させたもので、加熱開始時に、昇水手段１１内の低温の水が、後続の高温の湯の圧力で押し上げられ、昇水手段１１の開口部１２に達すると、低温の水は、隙間１３ｃから落下し、後続の熱湯のみが、蒸気圧により隙間１３ｃを飛び越えて給湯手段１４に到達するので、コーヒー抽出に適した温度のお湯をコーヒー粉に確実に散水することができる。【選択図】図１
2009247831.tif 000002
【特許請求の範囲】
【請求項１】
水容器と、前記水容器からの水を加熱する加熱手段と、コーヒー液を抽出するコーヒー抽出室と、前記加熱手段によって得られた湯を本体の上部へ導く昇水手段と、前記コーヒー抽出室へ給湯する給湯手段と、抽出されたコーヒー液を貯える保管容器とを備え、前記昇水手段の開口部と前記給湯手段とを隙間を介して連通させたことを特徴とするコーヒー沸かし器。
【請求項２】
昇水手段の開口部周囲の上方に高い空間部を、下方に低い空間部をそれぞれ配すると共に、前記高い空間部を給湯手段に繋がるように設け、低い空間部を、水容器内に開口する排水部に連通するように設けたことを特徴とする請求項１に記載のコーヒー沸かし器。
【請求項３】
高い空間部を昇水手段の開口部の延長方向に設け、前記高い空間部の下方が給湯手段と連通するように設けたことを特徴とする請求項２に記載のコーヒー沸かし器。
【請求項４】
昇水手段の上部に傾斜部を設け、開口部を前記傾斜部に設けたことを特徴とする請求項１〜３のいずれか１項に記載のコーヒー沸かし器。
【請求項５】
給湯手段を、その下流側が下になるように傾斜させたことを特徴とする請求項２〜４のいずれか１項に記載のコーヒー沸かし器。
【発明の詳細な説明】
【技術分野】
【０００１】
本発明は、給湯手段でコーヒー粉に湯を供給することにより、コーヒー液を抽出するコーヒー沸かし器に関するものである。
【背景技術】
【０００２】
従来のこの種のコーヒー沸かし器は、コーヒー抽出室にセットしたペーパーフィルタに粉砕されたコーヒー豆を入れ、その上から湯を供給することで抽出液を得るようになっていた（例えば、特許文献１参照）。
【０００３】
また、おいしいコーヒーを得るために、コーヒー抽出に適した温度まで給湯温度をあげるため、水容器内の水の温度を加熱手段で上げて、再び水容器内に戻し、その水をもう一度加熱手段で温度を上げて昇水手段へ導き、給湯部を通じてコーヒー抽出室内のコーヒー粉に注ぐように構成されたものもあった（例えば、特許文献２参照）。
【０００４】
図５は、上記特許文献２に記載された従来のコーヒー沸かし器の断面図を示すものである。
【０００５】
図５において、従来のコーヒー沸かし器の本体１は、水を収納する水容器２と、水を加熱する加熱手段３と、加熱された湯を排出する給湯部４と、給湯部４に湯を送る給湯手段５と、コーヒー液を抽出するコーヒー抽出室６とを有し、水容器２の内部に、加熱手段３に給水する給水口７ａと給水口７ｂが設けられ、給水口７ａから加熱手段３に入った水は、温められて水容器２の内部の循環口８から排出されて、再び給水口７ｂから加熱手段３に給水され、加熱手段３で熱湯になったのち、給湯手段５の給湯部４からコーヒー抽出室６の間に設けられた活性炭等からなる水質良化手段を有する散水手段９を通過してコーヒー粉に散水される。１０は、抽出されたコーヒー液を保管する保管容器である。
【特許文献１】特開昭６０−３８４２７号公報
【特許文献２】特開昭６３−１０２７２０号公報
【発明の開示】
【発明が解決しようとする課題】
【０００６】
しかしながら、上記特許文献２に記載された、給湯温度を上げるようにした従来のコーヒー沸かし器の構成では、特許文献１に記載されたような一般的なコーヒー沸かし器に使われる加熱手段と異なる特殊な加熱手段を使用する必要があった。また、水容器に加熱された水を排水するために、水容器は、熱や水蒸気に対し耐久性のある材質を用いる必要があった。それゆえ共に、仕様が複雑でコーヒー沸かし器のコストが高くなるという課題があった。
【０００７】
本発明は、前記従来の課題を解決するもので、加熱手段で沸かされた湯の低い温度部分を容易な手段で除去し、水容器からコーヒー抽出室に給湯する湯の温度をコーヒー抽出に適した温度にすることでおいしいコーヒー抽出できるコーヒー沸かし器を提供することを目的とする。
【課題を解決するための手段】
【０００８】
前記従来の課題を解決するため、本発明のコーヒー沸かし器は、水容器と、前記水容器からの水を加熱する加熱手段と、コーヒー液を抽出するコーヒー抽出室と、前記加熱手段によって得られた湯を本体の上部へ導く昇水手段と、前記コーヒー抽出室へ給湯する給湯手段と、抽出されたコーヒー液を貯える保管容器とを備え、前記昇水手段の開口部と前記
給湯手段とを隙間を介して連通させたもので、加熱開始時に、サイフォンの原理により水容器内部の水の高さまで昇水手段内に給水されて、加熱手段で熱湯にならない低温の水が、後続の沸騰した湯の圧力で押し上げられ、昇水手段の開口部に達すると、その低温の水は、昇水手段の開口部と給湯手段との間の隙間から落下し、後続の熱湯は、蒸気圧により、前記隙間を飛び越えて給湯手段に到達し、コーヒー抽出室に給湯されるので、コーヒー抽出に適した温度のお湯をコーヒー粉に確実に散水することができ、おいしいコーヒーを得ることができる。
【発明の効果】
【０００９】
本発明のコーヒー沸かし器は、容易な構成でコーヒー抽出に適した高温の湯をコーヒー粉に給湯することができるので、おいしいコーヒーを抽出できるコーヒー沸かし器を安価に提供することができる。
【発明を実施するための最良の形態】
【００１０】
第１の発明は、水容器と、前記水容器からの水を加熱する加熱手段と、コーヒー液を抽出するコーヒー抽出室と、前記加熱手段によって得られた湯を本体の上部へ導く昇水手段と、前記コーヒー抽出室へ給湯する給湯手段と、抽出されたコーヒー液を貯える保管容器とを備え、前記昇水手段の開口部と前記給湯手段とを隙間を介して連通させたもので、加熱開始時に、サイフォンの原理により水容器内部の水の高さまで昇水手段内に給水されて、加熱手段で熱湯にならない低温の水が、後続の沸騰した湯の圧力で押し上げられ、昇水手段の開口部に達すると、その低温の水は、昇水手段の開口部と給湯手段との間の隙間から落下し、後続の熱湯は、蒸気圧により、前記隙間を飛び越えて給湯手段に到達し、コーヒー抽出室に給湯されるので、コーヒー抽出に適した温度のお湯をコーヒー粉に確実に散水することができ、おいしいコーヒーを得ることができる。
【００１１】
第２の発明は、特に、第１の発明の昇水手段の開口部周囲の上方に高い空間部を、下方に低い空間部をそれぞれ配すると共に、前記高い空間部を給湯手段に繋がるように設け、低い空間部を、水容器内に開口する排水部に連通するように設けたもので、十分に加熱されていない低温の湯や水が、隙間を通して、低い空間部に落下し、排水部より水容器に戻され、高温の湯のみを確実に給湯手段へ送ることができ、おいしいコーヒーを得ることができる。
【００１２】
第３の発明は、特に、第２の発明の高い空間部を昇水手段の開口部の延長方向に設け、前記高い空間部の下方が給湯手段と連通するように設けたもので、昇水手段の開口部から吹き上がる湯を高い空間部で受け止め、そこから下側に流れる熱湯を給湯手段に送ることで、熱湯を確実にコーヒー抽出室に導くことができる。
【００１３】
第４の発明は、特に、第１〜３のいずれか一つの発明の昇水手段の上部に傾斜部を設け、開口部を前記傾斜部に設けたもので、湯を鉛直方向に吹き上げるよりも、容易に熱湯と冷水を分離することができる。
【００１４】
第５の発明は、特に、第２〜４のいずれか一つの発明の給湯手段を、その下流側が下になるように傾斜させたもので、空間部で流速が落ちた熱湯の流速が、給湯手段の傾斜により早まるので、コーヒー粉への散水性能の低下が無く、常においしいコーヒーを得ることができる。
【００１５】
以下、本発明の実施の形態について、図面を参照しながら説明する。なお、この実施の形態によって本発明が限定されるものではない。
【００１６】
（実施の形態１）
図１は、本発明の第１の実施の形態におけるコーヒー沸かし器の断面図、図２は、同コーヒー沸かし器の加熱開始時の状態を示す断面図、図３は、同コーヒー沸かし器の加熱手段で湯が上昇している状態を示す断面図、図４は、同コーヒー沸かし器の加熱手段で熱水となった湯が昇水手段から噴出する状態を示す断面図である。尚、上記従来のコーヒー沸かし器と同一部分については、同一符号を付してその説明を省略する。
【００１７】
図１において、電気ヒーター等からなる加熱手段３を内設した本体１の一側には、水を収納する水容器２が設置されている。そして前記水容器２からの水は、逆支弁（図示せず）を有する給水口７を通って加熱手段３で加熱されて湯となり、昇水手段１１を通り、昇水手段１１の開口部１２の周囲に設けられた空間部１３に至る。
【００１８】
湯は、空間部１３で段違い状態に設けられた高い空間部１３ｂから、給水手段１４を通り、本体２の所定上方にある先端の給湯部４から、排出される。
【００１９】
昇水手段１１の下流側端部の開口部１２は、昇水手段１１の傾斜部１７に設けられており、高い空間部１３ｂは、その延長上に配設されている。給湯手段１４は、高い空間部１３ｂから給湯部４に向かって傾斜している。給湯部４の下には、散水手段９が、さらに散水手段９の下側には、コーヒー抽出室６と保管容器１０が配設されている。
【００２０】
昇水手段１１の開口部１２と給湯手段１４と間には、隙間１３ｃが形成され、空間部１３の低い空間部１３ａは、隙間１３ｃを介して水容器２内に開口する排水部１５に連通するように構成されている。
【００２１】
以上のように構成された本実施の形態におけるコーヒー沸かし器について、以下その動作、作用を、図２乃至４を用いて説明する。
【００２２】
まず、図２は、コーヒー抽出室６に粉砕されたコーヒー豆（図示せず）を投入し、水容器２内に水を入れて本体１にセットした状態であり、水は、給水口７を通って、加熱手段３を通り、昇水手段１１の途中で、水容器２の水位１８ａと同じ水位１８ｂまで流入する。加熱手段３内部の水１６ａは、加熱されて熱湯１６ａとなり、加熱手段３の中で沸騰し、蒸気圧により熱湯１６ａは加熱手段３の両端に掛かるが、水容器２側には、給水口７に設けた逆支弁（図示せず）により昇水手段１１の方向にのみ向かうことになる。
【００２３】
その蒸気圧の作用により、熱湯１６ａは昇水手段１１を上昇し、昇水手段１１の開口部１２に至る。このとき、昇水手段１１の内部にあった冷たい水１６ｂは、温められていないので温度は殆ど上昇していない。
【００２４】
図３において、冷たい水１６ｂは、自然に存在する蒸気泉と同様の現象で昇水手段１１の開口部１２で、空間部１３の隙間１３ｃを通って低い空間部１３ａのある下側にこぼれる。こぼれた冷たい水１６ｂは排水部１５から水容器２内に戻される。
【００２５】
一方、その後に、加熱手段３の中で沸騰して、昇水手段１１の開口部１２に到着した熱湯１６ａは、図４に示すように、昇水手段１１の開口部１２から蒸気泉のように吹き出し、空間部１３の高い空間部１３ｂに噴きつけられて下方に設けられた給湯手段１４に流れ込み、傾斜した給湯手段１４で勢いを盛り返して、給湯部４に流れ、散水手段９により適度に散水されてコーヒー抽出室６のコーヒー粉に降り注ぐ。このとき、開口部１２は傾斜部１７にあるので斜め方向に沸騰した熱湯１６ａを噴出するので冷たい水１６ｂと流れる流路が確実に分かれる。
【００２６】
再び図２の状態に戻り、図２から図４の状態を繰り返すが、水容器２内の水が少なくな
ってくると次第に昇水手段１１内部の冷たい水１６ｂが少なくなり、最後にはその全てが加熱手段３の中で沸騰した熱湯１６ａになり、コーヒー抽出を終える。こうして抽出されたコーヒー液は保管容器１０に貯えられる。
【００２７】
以上のように、本実施の形態によれば、特別な加熱手段を使用すること無く、安価な構成で熱湯と冷水を分離し、高温の湯でコーヒー抽出を行うことができるので、熱々のおいしいコーヒーが得られるコーヒー沸かし器を提供することができる。
【産業上の利用可能性】
【００２８】
以上のように、本発明にかかるコーヒー沸かし器は、容易な構成で冷水を分離することができるので、同様な蒸気圧の沸騰を利用した加熱手段で湯沸かしをする機器などの用途にも適用できる。
【図面の簡単な説明】
【００２９】
【図１】本発明の実施の形態１におけるコーヒー沸かし器の断面図
【図２】同コーヒー沸かし器の加熱開始時の状態を示す断面図
【図３】同コーヒー沸かし器の加熱手段で湯が上昇している状態を示す断面図
【図４】同コーヒー沸かし器の加熱手段で熱水となった湯が昇水手段から噴出する状態を示す断面図
【図５】従来のコーヒー沸かし器の断面図
【符号の説明】
【００３０】
１  本体
２  水容器
３  加熱手段
４  給湯部
６  コーヒー抽出室
９  散水手段
１０  保管容器
１１  昇水手段
１２  開口部
１３  空間部
１３ａ  低い空間部
１３ｂ  高い空間部
１３ｃ  隙間
１４  給湯手段
１５  排水部
１７  傾斜部
【図１】
2009247831.tif 000003
【図２】
2009247831.tif 000004
【図３】
2009247831.tif 000005
【図４】
2009247831.tif 000006
【図５】
2009247831.tif 000007